(57)【要約】      （修正有）【課題】操作性及び利便性の高いカッティングマットを提供する。【解決手段】切断用具であるカッター２で紙３を切る場合に、紙３の背面側に配置するカッティングマット１であって、磁力によって、カッター２の刃２１を切れ込み用領域１ａへ引き付ける磁石１２と、紙３を貫通したカッター２の刃２１をその切れ込み１１ａで保持するマット素材部１１とを備え、使用者によるカッター２の刃２１の動きに伴って、机４の上を移動することを特徴とする。【選択図】図３
2018149652.tif 000002
【特許請求の範囲】
【請求項１】
切断用具の刃で切断対象を切る場合に、前記切断対象の背面側に配置するカッティングマットであって、
前記切断用具の刃を磁力により引き付ける磁性部を備えること、
を特徴とするカッティングマット。
【請求項２】
請求項１に記載のカッティングマットであって、
前記磁性部は、磁力によって、前記切断用具の刃を所定の位置へ引き付けること、
を特徴とするカッティングマット。
【請求項３】
請求項２に記載のカッティングマットであって、
前記磁性部は、前記所定の位置を挟む又は囲むように配置されている磁石であること、
を特徴とするカッティングマット。
【請求項４】
請求項３に記載のカッティングマットであって、
前記磁性部は、外縁に配置されている磁石であること、
を特徴とするカッティングマット。
【請求項５】
請求項１から請求項４までのいずれか１項に記載のカッティングマットであって、
前記磁性部の磁力により、前記切断用具、又は、その他の外部のものに付着可能であること、
を特徴とするカッティングマット。
【請求項６】
請求項５に記載のカッティングマットであって、
前記磁性部の磁力により、前記切断用具及び前記その他の外部のものを付着可能であること、
を特徴とするカッティングマット。
【請求項７】
請求項１から請求項６までのいずれか１項に記載のカッティングマットであって、
前記切断対象を貫通した前記切断用具の刃を保持する保持部を備え、
前記保持部が前記切断用具の刃を保持している場合に、前記切断用具の刃の動きに伴って、設置されている台上を移動すること、
を特徴とするカッティングマット。
【請求項８】
請求項７に記載のカッティングマットであって、
前記設置されている台上側に、前記設置されている台上を移動する場合に、移動を補助する移動補助部を備えること、
を特徴とするカッティングマット。
【請求項９】
請求項１から８までのいずれか１項に記載のカッティングマットであって、
円形状のマットであること、
を特徴とするカッティングマット。
【発明の詳細な説明】
【技術分野】
【０００１】
本発明は、切断用具の刃で切断対象を切る場合に、切断対象の背面側に配置するカッティングマットに関する。
【背景技術】
【０００２】
カッター等の切断用具を用いて、紙等の切断対象を切る場合、カッターマット等のカッティングマットを紙の下に敷いて紙の下側にある机等の切断対象以外のものを傷つけないようにしている（例えば、特許文献１参照。）。
しかし、カッターマットよりも紙が大きい場合には、刃がマットから外れてしまう、カッターマットの位置を確認しなければならないという問題があった。特に、紙の内側を中抜きする場合には、この問題が顕著であった。一方、マットから刃が外れないようにするには、大きなカッターマットを使用すればよいが、収納性、携帯性に欠けるという問題があった。
この問題を解決するため、カッターにカッターマットを取り付けたカッターナイフがある（例えば、特許文献２参照。）。
【特許文献１】特表２００５−５２８２３２号
【特許文献２】特開２００１−２２４８７１号
【発明の開示】
【発明が解決しようとする課題】
【０００３】
しかし、このカッターナイフは、アーム等の他の部分が邪魔になり、切り始める位置が限定されるという問題があった。同様に、カッターマットがアームでカッターに取り付けられているため、曲線が切りにくい等、操作性が悪いという問題があった。また、カッターナイフ全体が大きくなり、収納しづらいという問題があった。更にまた、様々なパーツがあり、構造が複雑であるため、故障しやすい、コストが高くなるといった問題があった。
【０００４】
本発明の課題は、上述した問題点を解消し、操作性及び利便性の高いカッティングマットを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。すなわち、請求項１の発明は、切断用具（２）の刃（２１）で切断対象（３）を切る場合に、前記切断対象の背面側に配置するカッティングマットであって、前記切断用具の刃を磁力により引き付ける磁性部（１２，１２Ａ，１２Ｂ，１２Ｃ，１２Ｄ）を備えること、を特徴とするカッティングマット（１，１Ａ，１Ｂ，１Ｃ，１Ｄ）である。
【０００６】
請求項２の発明は、請求項１に記載のカッティングマットであって、前記磁性部（１２，１２Ａ，１２Ｂ，１２Ｃ，１２Ｄ）は、磁力によって、前記切断用具の刃を所定の位置へ引き付けること、を特徴とするカッティングマット（１，１Ａ，１Ｂ，１Ｃ，１Ｄ）である。
【０００７】
請求項３の発明は、請求項２に記載のカッティングマットであって、前記磁性部（１２，１２Ａ，１２Ｂ，１２Ｃ，１２Ｄ）は、前記所定の位置を挟む又は囲むように配置されている磁石であること、を特徴とするカッティングマット（１，１Ａ，１Ｂ，１Ｃ，１Ｄ）。
【０００８】
請求項４の発明は、請求項３に記載のカッティングマットであって、  前記磁性部は、外縁に配置されている磁石（１２Ａ）であること、を特徴とするカッティングマット（１Ａ）である。
【０００９】
請求項５の発明は、請求項１から請求項４までのいずれか１項に記載のカッティングマットであって、前記磁性部の磁力により、前記切断用具（２）、若しくは、その他の外部のもの（５）に付着可能であること、
を特徴とするカッティングマット（１，１Ａ，１Ｂ，１Ｃ，１Ｄ）である。
【００１０】
請求項６の発明は、請求項５に記載のカッティングマットであって、前記磁性部（１２，１２Ａ，１２Ｂ，１２Ｃ，１２Ｄ）の磁力により、前記切断用具及び前記その他の外部のものを付着可能であること、を特徴とするカッティングマット（１，１Ａ，１Ｂ，１Ｃ，１Ｄ）である。
【００１１】
請求項７の発明は、請求項１から請求項６までのいずれか１項に記載のカッティングマットであって、前記切断対象を貫通した前記切断用具の刃（２１）を保持する保持部（１１ａ）を備え、前記保持部が前記切断用具の刃を保持している場合に、前記切断用具の刃の動きに伴って、設置されている台上（４）を移動すること、を特徴とするカッティングマット（１，１Ａ，１Ｂ，１Ｃ，１Ｄ）である。
【００１２】
請求項８の発明は、請求項７に記載のカッティングマットであって、前記設置されている台上側に、前記設置されている台上を移動する場合に、移動を補助する移動補助部（１４）を備えること、を特徴とするカッティングマットである。
【００１３】
請求項９の発明は、請求項１から８までのいずれか１項に記載のカッティングマットであって、円形状のマットであること、を特徴とするカッティングマット（１Ａ，１Ｂ，１Ｃ，１Ｄ）である。
【発明の効果】
【００１４】
本発明によるカッティングマットによれば、以下の効果を得ることが可能となる。
（１）磁性部は、磁力により切断用具の刃を引き付けるため、切断用具の操作性を損なうことなく、切断用具の使用者が容易にカッティングマットの位置を把握することができ、刃がカッティングマットから外れることを防止することが可能となる。
（２）磁性部は、所定の位置へ刃を引き付けるため、使用者は、カッティングマットの位置をより正確に把握することが可能となる。
（３）磁性部は、外縁に配置されている磁石であるため、構造を単純化し、製造コストの低減を図ることが可能となる。
（４）磁性部の磁力により外部のものに付着可能であるため、収納性及び利便性を向上することが可能となる。特に、切断用具に付着可能であるため、使用時にすぐに使える等、利便性を向上するとともに、携帯性を向上ことが可能となる。更に、磁性部の磁力により、切断用具及びその他のものを付着可能であるため、一層収納性及び利便性を向上することが可能となる。
（５）保持部が切断対象を貫通した前記切断用具の刃を保持することによって、カッティングマットは、切断用具の刃の動きに伴って、設置されている台上を移動するため、刃がカッティングマットから外れることを防止し、カッティングマットの形状を小さくすることができ、操作性、収納性及び利便性を向上することが可能となる。
【発明を実施するための最良の形態】
【００１５】
本発明は、切断用具の操作性を損なうことなく、刃がカッティングマットから外れることを防止するとともに、収納性及び利便性を向上するという目的を、切断用具の刃で切断対象を切る場合に、前記切断対象の背面側に配置するカッティングマットであって、磁力によって、前記切断用具の刃を所定の位置へ引き付ける磁性部と、前記切断対象を貫通した前記切断用具の刃を保持する保持部とを備え、前記磁性部の磁力により、前記切断用具、又は、その他の外部のものに付着可能であり、前記保持部が前記切断用具の刃を保持している場合に、前記切断用具の刃の動きに伴って、設置されている台上を移動することを特徴とすることによって実現する。
【実施例１】
【００１６】
以下、図面等を参照して、本発明の実施例をあげて、さらに詳しく説明する。
図１は、本発明によるカッティングマットの構成を示す斜視図である。
図１に示すようにカッティングマット１は、方形状のマットであり、切断対象が配置される表面側に、一般的なカッティングマット素材からなる、マット素材部１１と、フッ素樹脂等、背面側に、滑りやすい素材からなる移動補助部１４と、マット素材部１１及び移動補助部１４の間に、磁石１２を内包する任意の素材からなる磁石含有部１３とを備える３層構造を有している。
マット素材部１１は、上面がやや柔らかく弾力性がある軟質プラスチック素材からなる層、この層の下方に、カッターでの切断を防止するための硬質プラスチック素材からなる層を有している。
移動補助部１４は、摩擦係数の低い素材からなる、カッティングマット１の背面を覆う層である。
【００１７】
図２は、磁石１２の形状を示す斜視図である。
図１及び図２に示すように、磁石１２は、リング状の形態を有する、ネオジウム等の強い磁力を持つ磁石である。
【００１８】
図３、図４及び図５は、本発明によるカッティングマットの使用形態を示す図である。
図３に示すように、机４の上に、カッティングマット１、紙３が置かれ、使用者が、カッター２で紙３を切っている。カッター２は、強磁性体である刃２１を備え、切断対象である紙３を切るための切断用具である。使用者は、カッター２で紙３を切る場合に、紙３をカッティングマット１上に置く。使用者がカッター２の刃２１を紙３に近づけると、刃２１が磁石１２の磁力の強い方向へ、つまりは、カッティングマット１の表面の切れ込み用領域１ａへ引き付けられ、使用者が磁力の変化具合から、切れ込み用領域１ａを認識する。切れ込み用領域１ａは、使用者がカッター２の刃２１の先を切れ込むべき位置であり、刃２１がカッティングマット１から外れないよう、また、磁石１２等、マット素材部１１以外のものを傷つけないように設定されている所定の領域である。
使用者が、カッター２で紙３に切れ込みを入れると、マット素材部１１にも切れ込み１１ａが形成される。使用者が、紙３を固定したまま、カッター２で切り進むと、マット素材部１１は、切れ込みで刃２１を挟んで保持し、カッティングマット１は、カッター２の動きに併せて机４の上を移動する。
【００１９】
図４に示すように、使用者は、カッティングマット１を使用しないときには、磁石２１の刃２１への磁力によって、カッター２に付近に張り付けておく。また、冷蔵庫等、磁力体の外部のものに張り付けておくことも可能である。
図５に示すように、強磁性体であるホワイトボード５にカッティングマット１を介してカッター２を貼り付けておくことも可能である。
【００２０】
磁石１２の磁力の強さは、強いほどいいが、刃２１を強くひきつける一方で、紙３等の切断対象を切るのに支障が出ない程度の強さが望ましい。また、マット素材部１１の構造及び材質は、切れ込み１１で刃２１を強く保持できる一方で、切れ込み１１ａがあまり大きくならない構造、材質が望ましい。
【００２１】
このように、本実施例によれば、磁石１２は、磁力によりカッター２の刃２１を引き付けるため、カッター２の操作性を損なうことなく、使用者が容易にカッティングマット１の位置を把握することができるため、刃２１がカッティングマット１から外れることを防止することが可能となった。また、磁石１２は、切れ込み用領域１ａへ刃２１を引き付けるため、使用者は、刃２１を切れ込むべき位置をより正確に把握することが可能となった。  
【００２２】
一方、磁石１２の磁力により、ホワイトボード５に付着可能であるため、収納性及び利便性を向上することが可能となる。特に、カッター２に付着可能であるため、使用時にすぐに使える等、利便性を向上するとともに、携帯性を向上ことが可能となった。また、磁石１２の磁力により、ホワイトボード５等の強磁性体にカッティングマット１を介してカッター２を貼り付けておくことも可能であるため、一層、収納性及び利便性を向上することが可能となった
【００２３】
更にまた、切れ込み１１ａが、紙３を貫通したカッター２の刃２１を保持することによって、カッティングマット１は、刃２１の動きに伴って、机４の上を移動するため、刃２１がカッティングマット１から外れることを防止すること、カッティングマット１自体の形状を小さくすることができ、操作性、携帯性及び利便性を向上することが可能となった。また、移動補助部１４によって、机４の上をカッティングマット１は容易に移動できるため、一層、操作性、利便性を向上することが可能となった。
【実施例２】
【００２４】
図６は、本発明によるカッティングマットの構成を示す斜視図である。
図６に示すように、カッティングマット１Ａは、円形状のマットであり、底面に向かって経が大きくなる略円柱形状を有している。カッティングマット１Ａは、円柱側面である外縁に、リング状の磁石１２Ａと、その内側に、一般的なカッティング素材からなる、マット素材部１１Ａとを備えている。
マット素材部１１Ａは、底面に向かって経が大きくなる略円柱形状を有している。
磁石１２Ａは、摩擦係数の低い磁石である。
【００２５】
図７及び図８は、本発明によるカッティングマットの使用形態を示す上面図及び正面図である。
図７及び図８に示すように、机等の台の上に、定規６、定規６に沿うようにカッティングマット１Ａ、カッティングマット１Ａの上に紙３が置かれ、使用者が、定規６に沿って、カッターの刃２１で紙３を直線に切っている。使用者が刃２１を紙３に近づけると、磁石１２Ａの磁力により、カッティングマット１Ａの中心付近へ刃２１が引き付けられ、使用者が磁力の変化具合から、切れ込むべき位置（マット素材部１１Ａの上面）を認識する。
使用者が、カッター２で紙３に切れ込みを入れると、マット素材部１１Ａ上部にも切れ込み１１ａが入る。使用者が、紙３を固定したまま、カッティングマット１Ａを定規６に接触させたまま、カッター２を定規６に沿う方向に切り進むと、マット素材部１１Ａの切れ込み１１ａは、刃２１を挟んで保持し、カッティングマット１Ａは、カッター２の動きに併せて定規６に沿って台の上を移動する。
【００２６】
実施例１と同様に、磁石１２Ａの磁力によって、ホワイトボード５等の外部の強磁性体や、カッター２にカッティングマット１Ａを付着することができる。また、カッティングマット１Ａを介してホワイトボード５にカッター２を付着することができる（図４及び図５参照）。
【００２７】
このように、本実施例によれば、実施例１の効果に加え、カッティングマット１Ａは、定規６に接触したまま、定規６に沿って移動するため、紙３を定規６に沿った形に容易に切ることが可能となった。
【００２８】
更に、カッティングマット１Ａは、磁石１２Ａを外縁に、その内側にマット素材部１１Ａを備える単純な構造を有しているため、容易に製造可能で、製造コストの低減を図ることが可能となるとともに、刃２１で切り込むべき領域の面積を拡大することが可能となった。また、カッティングマット１Ａは、円形状のマットであるとともに、摩擦係数の低い磁石１２Ａが定規６に接するため、カッティングマット１Ａが容易に定規６に沿って移動することが可能となった。
【００２９】
（変形例）
以上説明した実施例に限定されることなく、種々の変形や変更が可能であって、それらも本発明の均等の範囲内である。
実施例１又は２において、カッティングマット１，１Ａに用いられる切断用具は、カッター２に限定されず、ナイフ、包丁等、磁力により引き付けられる強磁性体の刃を有する切断用具であってもよい。同様に、切断対象は、紙３に限定されない。
【００３０】
実施例１又は２において、移動補助部１４は、車輪等、機械的なものであってもよい。移動補助部１４は、カッティングマット１の机４の上の移動を補助することができれば限定されない。
【００３１】
実施例１において、カッティングマット１，１Ａは、ひっくり返しても同様の構造である、上下対称の構造を有していてもよい。表裏を意識することなく使用することができ、利便性を向上することが可能となる。
【００３２】
図９、図１０及び図１１は、本発明によるカッティングマットの変形例を示す上面図である。
図９に示すように、磁石１２，１２Ａの形状は、内側に孔の空いた四角柱状の磁石１２Ｂであってもよく、逆さまにしたお椀型形状であってもよい。磁石１２，１２Ａ，１２Ｂの形状は、限定されず、その磁力によって使用者が刃２１を近づけたときに、少なくとも、カッティングマット１，１Ａ，１Ｂの位置を認識できればよい。
【００３３】
図１０及び図１１に示すように、カッティングマット１Ｃは、複数の磁石１２Ｃ，１２Ｄを包含していてもよい。より磁石１２，１２Ａ，１２Ｂ，１２Ｃ，１２Ｄの数は限定されず、少なくとも、その磁力によって使用者が刃２１を近づけたときに、カッティングマット１，１Ａ，１Ｂの位置を認識できればよい。
磁石１２，１２Ａ，１２Ｂ，１２Ｃ，１２Ｄの形状、数、磁力、配置場所は、限定されず、磁力の方向、強さによって、使用者が刃を近づけたときに、カッティングマット１，１Ａ，１Ｂ，１Ｃ，１Ｄのいずれの位置を使用者に認識させるのかによって、任意に設定することができ、この設定によって、使用者により正確に刃２１を切り込むべき位置を認識させることが可能となる。
【図面の簡単な説明】
【００３４】
【図１】本発明によるカッティングマットの構成を示す斜視図である。（実施例１）
【図２】磁石１２の形状を示す斜視図である。（実施例１）
【図３】本発明によるカッティングマットの使用形態を示す図である。（実施例１）
【図４】本発明によるカッティングマットの使用形態を示す図である。（実施例１）
【図５】本発明によるカッティングマットの使用形態を示す図である。（実施例１）
【図６】本発明によるカッティングマットの構成を示す斜視図である。（実施例２）
【図７】本発明によるカッティングマットの使用形態を示す上面図である。（実施例２）
【図８】本発明によるカッティングマットの使用形態を示す正面図である。（実施例２）
【図９】本発明によるカッティングマットの変形例を示す上面図である。（変形例１）
【図１０】本発明によるカッティングマットの変形例を示す上面図である。（変形例１）
【図１１】本発明によるカッティングマットの変形例を示す上面図である。（変形例１）
【符号の説明】
【００３５】
１，１Ａ，１Ｂ，１Ｃ，１Ｄ  カッティングマット
１ａ  切れ込み用領域
２  カッター
３  紙
４  机
５  ホワイトボード
６  定規
１１，１１Ａ  マット素材部
１１ａ  切れ込み
１２，１２Ａ，１２Ｂ，１２Ｃ，１２Ｄ  磁石
１３  磁石含有部
１４  移動補助部
２１  刃
【図１】
2018149652.tif 000003
【図２】
2018149652.tif 000004
【図３】
2018149652.tif 000005
【図４】
2018149652.tif 000006
【図５】
2018149652.tif 000007
【図６】
2018149652.tif 000008
【図７】
2018149652.tif 000009
【図８】
2018149652.tif 000010
【図９】
2018149652.tif 000011
【図１０】
2018149652.tif 000012
【図１１】
2018149652.tif 000013
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
切断用具の刃で切断対象を切る場合に、前記切断対象の背面側に配置するカッティングマットであって、
前記切断用具の刃を磁力により引き付ける磁性部を備え、
前記磁性部は、磁力によって、使用者に前記切断用具の刃を切れ込むべき所定の位置を認識させること、
を特徴とするカッティングマット。
【請求項２】
請求項１に記載のカッティングマットであって、
前記磁性部は、前記所定の位置を挟む又は囲むように配置されている磁石であること、
を特徴とするカッティングマット。
【請求項３】
請求項２に記載のカッティングマットであって、
前記磁性部は、外縁に配置されている磁石であること、
を特徴とするカッティングマット。
【請求項４】
切断用具の刃で切断対象を切る場合に、前記切断対象の背面側に配置するカッティングマットであって、
前記切断用具の刃を磁力により引き付ける磁性部と、
前記切断対象を貫通した前記切断用具の刃を保持する保持部とを備え、
前記保持部が前記切断用具の刃を保持している場合に、前記切断用具の刃の動きに伴って、設置されている台上を移動すること、
を特徴とするカッティングマット。
【請求項５】
請求項４に記載のカッティングマットであって、
前記設置されている台上側に、前記設置されている台上を移動する場合に、移動を補助する移動補助部を備えること、
を特徴とするカッティングマット。
【請求項６】
請求項１から請求項５までのいずれか１項に記載のカッティングマットであって、
前記磁性部の磁力により、前記切断用具に付着し、携帯可能であること、
を特徴とするカッティングマット。
【請求項７】
請求項６に記載のカッティングマットであって、
前記磁性部の磁力により、前記切断用具を付着し、外部のものへ付着可能であること、
を特徴とするカッティングマット。
【請求項８】
請求項１から請求項７までのいずれか１項に記載のカッティングマットであって、
円形状のマットであること、
を特徴とするカッティングマット。
【手続補正２】
【補正対象書類名】明細書
【補正対象項目名】０００５
【補正方法】変更
【補正の内容】
【０００５】  本発明は、以下のような解決手段により、前記課題を解決する。なお、理解を容易にするために、本発明の実施例に対応する符号を付して説明するが、これに限定されるものではない。すなわち、請求項１の発明は、切断用具（３）の刃（２１）で切断対象（３）を切る場合に、前記切断対象の背面側に配置するカッティングマットであって、前記切断用具の刃を磁力により引き付ける磁性部（１２，１２Ａ，１２Ｂ，１２Ｃ，１２Ｄ）を備え、前記磁性部は、磁力によって、使用者に前記切断用具の刃を切れ込むべき所定の位置（１ａ）を認識させること、を特徴とするカッティングマット（１，１Ａ，１Ｂ，１Ｃ，１Ｄ）である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】  請求項２の発明は、請求項１に記載のカッティングマットであって、前記磁性部（１２，１２Ａ，１２Ｂ，１２Ｃ，１２Ｄ）は、前記所定の位置（１ａ）を挟む又は囲むように配置されている磁石であること、を特徴とするカッティングマット（１，１Ａ，１Ｂ，１Ｃ，１Ｄ）である。
【手続補正５】
【補正対象書類名】明細書
【補正対象項目名】０００８
【補正方法】変更
【補正の内容】
【０００８】  請求項３の発明は、請求項２に記載のカッティングマットであって、  前記磁性部は、外縁に配置されている磁石（１２Ａ）であること、を特徴とするカッティングマット（１Ａ）である。
【手続補正６】
【補正対象書類名】明細書
【補正対象項目名】０００９
【補正方法】変更
【補正の内容】
【０００９】  請求項４の発明は、切断用具（３）の刃（２１）で切断対象（３）を切る場合に、前記切断対象の背面側に配置するカッティングマットであって、前記切断用具の刃を磁力により引き付ける磁性部（１２，１２Ａ，１２Ｂ，１２Ｃ，１２Ｄ）と、前記切断対象を貫通した前記切断用具の刃を保持する保持部（１１ａ）とを備え、前記保持部が前記切断用具の刃を保持している場合に、前記切断用具の刃の動きに伴って、設置されている台上を移動すること、を特徴とするカッティングマット（１，１Ａ，１Ｂ，１Ｃ，１Ｄ）である。
【手続補正７】
【補正対象書類名】明細書
【補正対象項目名】００１０
【補正方法】変更
【補正の内容】
【００１０】  請求項５の発明は、請求項４に記載のカッティングマットであって、前記設置されている台上側に、前記設置されている台上を移動する場合に、移動を補助する移動補助部（１４）を備えること、を特徴とするカッティングマット（１）である。
【手続補正８】
【補正対象書類名】明細書
【補正対象項目名】００１１
【補正方法】変更
【補正の内容】
【００１１】  請求項６の発明は、請求項１から請求項５までのいずれか１項に記載のカッティングマットであって、前記磁性部（１２，１２Ａ，１２Ｂ，１２Ｃ，１２Ｄ）の磁力により、前記切断用具（２）に付着し、携帯可能であること、を特徴とするカッティングマット（１，１Ａ，１Ｂ，１Ｃ，１Ｄ）である。
【手続補正９】
【補正対象書類名】明細書
【補正対象項目名】００１２
【補正方法】変更
【補正の内容】
【００１２】  請求項７の発明は、請求項６に記載のカッティングマットであって、前記磁性部（１２，１２Ａ，１２Ｂ，１２Ｃ，１２Ｄ）の磁力により、前記切断用具（２）を付着し、外部のもの（５）へ付着可能であること、を特徴とするカッティングマット（１，１Ａ，１Ｂ，１Ｃ，１Ｄ）である。
【手続補正１０】
【補正対象書類名】明細書
【補正対象項目名】００１３
【補正方法】変更
【補正の内容】
【００１３】  請求項８の発明は、請求項１から請求項７までのいずれか１項に記載のカッティングマットであって、円形状のマットであること、を特徴とするカッティングマット（１Ａ，１Ｂ，１Ｃ，１Ｄ）である。